(57)【特許請求の範囲】
【請求項１】
イグニションキーのオン操作によって車両のアクセサリ電源から電源電圧の供給を受けるとともに、装着されることによって接続されかつ通話状態に設定された携帯電話を介してデータ通信を行なう携帯電話接続型通信端末であって、
該アクセサリ電源からの電源電圧の状態を監視する監視手段と、
該車両のバックアップ電源からバックアップ電圧が供給されており、該監視手段が該イグニションキーのオフ操作によって該アクセサリ電源からの電源電圧のオフを検出すると、通信中の該携帯電話に対して通信終了の指示を出す機能を備えた制御部と
を有することを特徴とする携帯電話接続型通信端末。
【請求項２】
車両のバックアップ電源から制御部の電源電圧を受け、かつイグニションキーのオン操作によって該車両のアクセサリ電源から電源電圧の供給を受けるとともに、装着されることによって接続されかつ通話状態に設定された携帯電話を介してデータ通信を行なう携帯電話接続型通信端末における通信制御方法であって、
該イグニションキーのオフ操作によって該アクセサリ電源からの電源電圧のオフを検出すると、該制御部から通信中の該携帯電話に対して通信終了の指示を出すことを特徴とする携帯電話接続型通信端末における通信制御方法。
【請求項３】
イグニションキーのオン操作によって車両のアクセサリ電源から電源電圧の供給を受けるとともに、携帯電話を接続してデータ通信を行なう携帯電話接続型通信端末における通信制御方法であって、
該アクセサリ電源から電源電圧が供給されて動作状態にある該携帯電話接続型通信端末にデータ通信モードにある該携帯電話が接続されると、一旦該携帯電話による通信を終了させた後、該データ通信のためのデータを該携帯電話から取り込み、再度データ通信モードに設定することを特徴とする携帯電話接続型通信端末における通信制御方法。
【請求項４】
請求項１に記載の携帯電話接続型通信端末であって、
前記制御部は、さらに、前記携帯電話の内部メモリに格納されている電話帳データの一括読み込み指令があった場合、該電話帳データの電話番号データ毎に該電話帳データを読み込んでエラーチェックし、エラーが検出されると、該電話番号データを再度前記携帯電話に要求して読み込んでエラーチェックを行なう機能を有することを特徴とする携帯電話接続型通信端末。
【請求項５】
請求項４に記載の携帯電話接続型通信端末であって、
前記電話番号データの読み込み動作中にデータ通信の要求があると、該読み込み動作を中断し、該中断が解除されると、該中断をしたときの前記電話番号データから前記電話帳データの読み込みを行なうことを特徴とする携帯電話接続型通信端末。
【発明の詳細な説明】
【０００１】
【発明の属する技術分野】
本発明は、車両の運転室などに設置されてナビゲーションなどの機能を有する通信端末に係り、特に、携帯電話機と接続可能であって、接続された携帯電話機を介して通話やデータ通信を可能とした携帯電話接続型通信端末及びその通信制御方法に関する。
【０００２】
【従来の技術】
近年では、車両には、ナビゲーションシステムなどを利用することにより、要求された目的地までの経路を探索して地図上に表示するとともに、自車の位置をこの経路上に表示し、車両が移動するにつれてとともに、この自車の位置が地図の経路上で移動させることにより、運転者などに常時自車の位置を地図上で把握させることができるにした通信端末が用いられるようになってきている。
【０００３】
また、携帯電話機の普及とともに、かかる通信端末に携帯電話機を接続可能とし、携帯電話機を介して通話やデータ通信を行なうことができるようにした、いわゆる携帯電話接続型通信端末及びこれを用いた通信システムが提案されている。これは、一例として、車両の運転室にこの携帯電話接続型通信端末と電線（以下、ケーブルなども含む）で接続されたコネクタなどの接続装置を有する置き台が設けられ、この置き台に携帯電話機を載置すると、この接続装置に携帯電話機が接続され、これにより、この携帯電話機と携帯電話接続型通信端末が接続されるものである。
【０００４】
このように、携帯電話機が携帯電話接続型通信端末とからなる通信システムにおいては、通話中あるいはデータ通信中の携帯電話機を携帯電話接続型通信端末を接続すると、この携帯電話機を介して携帯電話接続型通信端末での通話やデータ通信が可能であるし、また、携帯電話機が携帯電話接続型通信端末に接続された状態では、携帯電話接続型通信端末を操作することにより、携帯電話機を介して携帯電話接続型通信端末での通話やデータ通信が可能となる。
【０００５】
図６は従来の携帯電話接続型通信端末とこれを用いた通信システムの一例を示すブロック図であって、１は携帯電話機、２は携帯電話接続型通信端末（以下、単に通信端末という）、３ａはメインＣＰＵ（中央処理ユニット）、４は入力部、５は表示部、６は電話制御基板、６ａは電話制御ＣＰＵ、７は電源回路、８は電線、９は車両電源、１０はアクセサリ電源（ＡＣＣ）、１１はバックアップ電源（Ｂ／Ｕ）である。
【０００６】
同図において、通信端末２は、この端末全体の制御を行なうメインＣＰＵ３ａと、ユーザの操作によって命令やデータを入力するための入力部４と、この入力部４から入力された命令やデータ、さらには、後述のように受信されたデータなどを表示する表示部５と、メインＣＰＵ３ａの制御のもとに、電線８を介して接続された携帯電話機との間の通信制御を行なうための電話制御ＣＰＵ６ａなどを備えた電話制御基板６と、メインＣＰＵ３ａや電話制御基板６，入力部４，表示部５などの各部に電源電圧を供給する電源回路７などを備えている。
【０００７】
電線８は、一方の端部が電話制御基板６の図示しないインタフェースに接続され、他方の端部が図示しない置き台の接続装置に接続されている。この置き台は車両の運転室の適当な位置に固定して配置されており、これに携帯電話機１をこの置き台に置くことにより、この携帯電話機１が電線８を介して通信端末２に接続される。
【０００８】
また、車両には、車両電源９からの電源電圧を変換してバックアップ電圧を生成し、これを車両の各部に供給するバックアップ電源１１と、ユーザによるイグニッションキーの操作に伴って車両電源９からの電源電圧を変換し、これを車載されるラジオやディスクドライブなどの機器に電源電圧として供給するアクセサリ電源１０とが設けられており、この通信端末２においても、電源回路７にこれらバックアップ電源１１から常時バックアップ電圧が供給され、また、イグニッションキーが操作されたときにアクセサリ電源１０から電源電圧が供給される。電源回路７は、このバックアップ電圧をメインＣＰＵ３ａに供給し、これをバックアップ状態にする。また、イグニッションキーが操作されたときにアクセサリ電源１０から電源電圧が供給されると、電源回路７は各部に電源電圧を供給し、通信端末２を動作状態にする。
【０００９】
【発明が解決しようとする課題】
ところで、上記従来の通信システムでは、携帯電話機１が置き台に置かれてアクセサリ電源１０から電源電圧が供給されている状態の通信端末２と接続されており、かかる状態で通話状態にあった携帯電話機１が通話を終わると、そのまま放置しておいても、所定時間経過した後、携帯電話機１が電源がオフの終話状態となる。
【００１０】
しかしながら、図７に示すように、上記のような接続状態で携帯電話機１がデータ通信や通話の状態（以下、通話について説明するが、データ通信の場合も同様である）にあるとき、イグニッションキーを抜いてアクセサリ電源１０をオフ状態にすると(時刻ｔ1）、通信端末２は電源オフとなって休止状態となるが、携帯電話機１は基地局（図示せず）との回線が接続されたままでデータ通信や通話状態が継続することになり、無駄なデータ通信や通話状態が続くことになる。
【００１１】
また、通信端末２がこれに接続された携帯電話機１を介して通話状態にあるとき、ＣＰＵがトラブルなどして通信端末２で不具合が生じた場合には、この通信端末２での通信が不能になるにもかかわらず、携帯電話機１はそのまま通話状態を続けることになり、置き台に置かれた携帯電話機１が無駄な通話状態が維持されることになる。
【００１２】
本発明の第１の目的は、かかる問題を解消し、接続されている携帯電話機を終話状態に切り替え、携帯電話機の無駄な通話状態をなくすことができるようにした携帯電話接続型通信端末及びその通信制御方法を提供することにある。
【００１３】
また、図８に示すように、アクセサリ電源１０から電源電圧が供給されて通信端末２が動作状態にあるときに、通話状態にある携帯電話機１を置き台において通信端末２と接続したときには（時刻ｔ2）、通信端末２では、電話機制御基板６による制御のもとに、携帯電話機１からその受信データなどを受信する。しかし、通信端末２では、携帯電話機１の通信の途中からのデータが供給されるものであるから、メインＣＰＵ３ａでは、このデータがどのような種類のデータ（通話の音声／情報データ）であるか判別することができないし、また、そのときのかかるデータの送信元を判別することができず、携帯電話機１からのデータを処理することができない。
【００１４】
さらに、通信端末２がこれに接続された携帯電話機１を介して通話状態にあるとき、ＣＰＵがトラブルなどして通信端末２で不具合が生じた場合には、通常、トラブルが生じたＣＰＵなどは初期化される。特に、ＣＰＵが初期化されると、そのまま通信状態を継続する携帯電話機１からの通話データを判別処理することができなくなり、置き台に置かれた携帯電話機１が無駄な通話状態が維持されることになる。
【００１５】
本発明の第２の目的は、かかる問題を解消し、通話やデータ通信などの途中であっても、携帯電話機からのデータを確実に判定し、これを正常に受信することができるようにした携帯電話接続型通信端末及びその通信制御方法を提供することにある。
【００１６】
さらに、上記従来の通信システムでは、接続された携帯電話機に記憶されている電話帳を通信端末に読み出し、これをこの通信端末で確認することができる。これを図９により説明する。
【００１７】
同図において、いま、携帯電話機１にｎ個（但し、ｎは１以上の整数）の電話番号からなる電話帳が記憶されているとする。ユーザが通信端末２の入力部４を操作して携帯電話機１に電話帳を要求すると、メインＣＰＵ３ａは電話制御基板６，電線８を介してメモリ一括読出し要求を携帯電話機１に送る（ステップ１００）。携帯電話機１は、この要求を受信すると、内部動作モードを変更し、メモリに格納されているｎ個の電話番号データであるメモリ番号１データ，メモリ番号２データ，……，メモリ番号（ｎ−１）データ，メモリ番号ｎデータを読み出し、これらを一括し、１つのデータとして通信端末２に送信する（ステップ１０１）。かかるデータは通信端末２の電話制御基板６を介してメインＣＰＵ３ａで受信され、エラーチェックなどの処理が行なわれる（ステップ１０２）。このように処理された電話番号データは、メインＣＰＵ内の図示しないメモリに格納され、入力部４の操作に基づいて、電話番号が１つずつ表示部５に表示される。また、エラーチェックなどの処理後、メインＣＰＵ３ａは携帯電話機１にリセット信号を送り、携帯電話機１を電話帳読取りモードからリセットさせる。
【００１８】
しかし、かかる従来の通信システムにおいては、通信端末２で行なわれるステップ１０２のエラーチェックが受信したｎ個の電話番号データを纏めて行なわれるので、かかる電話番号データに１つでもエラーが検出されると、かかる一纏めのデータにエラーがあるとして、再度メモリ一括読出し要求（ステップ１００）がメインＣＰＵ３ａから出力されることになり、再び携帯電話機１で再びメモリからの最初の電話番号データから読み出して送信するステップ１０１が繰り返されることになり、たった１つの電話番号データにエラーがある場合でも、全ての電話番号データの読出しからの動作を繰り返すことになって、通信端末２への携帯電話機１の電話帳の取り込みに非常な時間を要する場合もある。
【００１９】
また、ｎの電話帳データを一括して１つのデータとして通信端末２に通信するものであるから、その間、携帯電話機１は通話もデータ通信もすることができず、相手先から通話要求があっても、また、相手方に通話する場合も、電話操作不能となる。
【００２０】
本発明の第３の目的は、かかる問題を解消し、携帯電話機からの電話帳データの読出し時に生ずる不具合を解消し、使い勝手を高めることができるようにした携帯電話接続型通信端末及びその通信制御方法を提供することにある。
【００２１】
【課題を解決するための手段】
上記目的を達成するために、本発明には、携帯電話機と接続され、該携帯電話機を介して通話やデータ通信を可能とする携帯電話接続型通信端末において、供給される電源電圧がオフとなるとともに、通話モードにある該携帯電話機を終話させるものである。
【００２２】
また、本発明は、携帯電話機が接続装置に着脱可能であって、該接続装置によって接続された該携帯電話機を介して通話やデータ通信を可能とする携帯電話接続型通信端末において、通話モードもしくはデータ通信モードにある該携帯電話機が該接続装置に装着された接続されたとき、該携帯電話機を、一旦終話させた後、再度通話モードに設定するものである。
【００２３】
さらに、本発明は、携帯電話機と接続され、該携帯電話機を介して通話やデータ通信を可能とする携帯電話接続型通信端末において、該携帯電話機を介した通話やデータ通信中にトラブルの発生したとき、該携帯電話機を、一旦終話させた後、再度通話モードに設定するものである。
【００２４】
さらに、本発明は、携帯電話機と接続され、該携帯電話機を介して通話やデータ通信を可能とする携帯電話接続型通信端末において、該携帯電話機の内蔵メモリに格納されている電話帳データを、該電話帳データの電話番号データ毎に読み込み、かつ該電話番号データを読み込む毎に該電話番号データをエラーチェックし、エラーが検出された該電話番号データについては、これを再度該携帯電話機から読み込んでエラーチェックを行なうものである。
【００２５】
そして、電話帳データの読み込み動作中に携帯電話機を介して通話やデータ通信の要求があったときには、かかる読み込み動作を中断する。
【００２６】
また、読み込み動作の中断が解除されたときには、この中断あったときの電話番号データから電話帳データの読み込みを行なうものである。
【００２７】
あるいは、読み込み動作の中断が解除されたときには、再度最初の電話番号データから電話帳データの読み込みを行なうものである。
【００２８】
【発明の実施の形態】
以下、本発明の実施形態を図面を用いて説明する。
図１は本発明による携帯電話接続型通信端末の一実施形態を示すブロック図であって、３はメインＣＰＵであり、図６に対応する部分には同一符号を付けて重複する説明を省略する。
【００２９】
同図において、メインＣＰＵ３は、図６におけるメインＣＰＵ３ａの機能に加え、アクセサリ電源１０からの電源電圧を監視し、また、電源回路７を制御する機能や後述する制御機能を有するものである。これ以外の構成は、図６に示した従来の通信端末２と同様である。従って、携帯電話機１が図示しない置き台に置かれると、この置き台の接続装置に携帯電話機１が装着されて通信端末２と接続され、これら間で通信可能な通信システムが形成されることになる。
【００３０】
次に、この実施形態の動作について説明する。
【００３１】
メインＣＰＵ３は、電線８を介して携帯電話機１が、上記のように、通信端末２に接続されているときには、アクセサリ電源１０からの電源電圧を常時監視している。いま、図２に示すように、入力部４を操作することにより、通信端末２を携帯電話機１を介した通話状態にし(時刻ｔ0）、その後、通話状態が保たれたまま、運転者がイグニションキーをオフにしてアクセサリ電源１０がオフになったものとすると(時刻ｔ3）、メインＣＰＵ３がこのアクセサリ電源１０がオフになったことを検出し、電源回路７がバックアップ電源１１からのバックアップ電圧を少なくとも電話制御基板６の電源電圧として使用させるとともに（なお、メインＣＰＵ３には、アクセサリ電源１０がオフの場合には、常にこのバックアップ電圧が供給される）、終話指令▲１▼を発生する。この終話指令▲１▼は電話制御基板６から電線８を介して携帯電話機１に送られる。この終話指令▲１▼は、携帯電話機１では、終話が終わったときにユーザが終話操作をしたときに発生される指令と同様のものであり、この終話指令▲１▼により、携帯電話機１は通話状態が解除される。そして、携帯電話機１は、この通話状態の解除とともに、終話通知データ▲２▼を生成して、電線８を介して電話制御基板６ａに送信し、これを受けたメインＣＰＵ３は、電源回路７をオフ状態にする（時刻ｔ4）。
【００３２】
従来の通信端末２では、図７で説明したように、携帯電話機１が通話状態にあるときに、アクセサリ電源１０がオフとなっても、携帯電話機１はそのまま通話状態を継続するものであったが、この実施形態では、上記のように、アクセサリ電源１０がオフとなっても、バックアップ電圧によってメインＣＰＵ３や携帯電話機１との通信のための電話制御基板６を動作状態に保持することにより、メインＣＰＵ３から指令して携帯電話機１を通話状態からその解除状態に変更させることができ、しかる後、通信端末２を停止させることができるものであり、携帯電話機１の無駄な通話状態の継続をなくすことができる。
【００３３】
また、図３に示すように、通話中の携帯電話機１を置き台に置き、動作中の通信端末２に接続すると、メインＣＰＵ３は電話制御基板６で受信された携帯電話機１からの信号を取り込み、携帯電話機１が通信端末２に接続されたことを検知する（時刻ｔ5）。この検知に伴って、メインＣＰＵ３は中断指令▲３▼を生成して出力し、電話制御基板６および電線８を介して携帯電話機１に送る。そこで、携帯電話機１は、この中断指令▲３▼を受け取ると、終話を中断（終了）し、その旨を、図２で説明したように、通信端末２のメインＣＰＵ３に送る。これに基づいて、メインＣＰＵ３は通話再開指令▲４▼を生成し、これを携帯電話機１に送る。これにより、携帯電話機１は中断した通話を再開するのであるが、これとともに、この通話の相手先や通信データが音声であることを示すデータを通信端末２に送る。これにより、メインＣＰＵ３は通話の相手先やデータの種類を判別することができ、携帯電話１との間の正常な通信が可能となる。
【００３４】
さらに、通信端末２に接続された携帯電話機１を介して通話中、通信端末２で、メインＣＰＵ３がトラブルなどして、不具合が生じた場合には、トラブルしたメインＣＰＵ３などが初期化され、次いで、メインＣＰＵ３は通話中断指令▲５▼を生成して、上記のように、携帯電話機１に送る。そこで、携帯電話機１は、この中断指令▲５▼を受け取ると、終話を中断（終了）し、その旨を、図２及び図３で説明したように、通信端末２のメインＣＰＵ３に送る。これに基づいて、メインＣＰＵ３は通話再開指令▲６▼を生成し、これを携帯電話機１に送る。これにより、携帯電話機１は中断した通話を再開するのであるが、これとともに、この通話の相手先や通信データが音声であることを示すデータを通信端末２に送る。これにより、メインＣＰＵ３は通話の相手先やデータの種類を判別することができ、携帯電話機１との間の正常な通信が可能となる。
【００３５】
次に、通信端末２が携帯電話機１の電話帳データを読み込む動作について、図５により説明する。
【００３６】
同図において、いま、携帯電話機１にｍ個（但し、ｍは１以上の整数）の電話番号からなる電話帳が内蔵メモリに記憶されているとする。ユーザが通信端末２の入力部４を操作して携帯電話機１に電話帳データを要求すると、メインＣＰＵ３は電話制御基板６，電線８を介してメモリでの電話番号データの件数がどの位かの通知を携帯電話機１に要求する（ステップ２００）。携帯電話機１は、この要求を受信すると、内蔵メモリに記憶している電話番号の件数がｍ件であることを通信端末２に知らせる（ステップ２０１）。
【００３７】
そこで、通信端末２のメインＣＰＵ３は、第１番目の電話番号データ（メモリ番号１データ。以下同様）を要求し（ステップ２０２）、この要求に応じて、携帯電話機１はメモリから第１番目の電話番号データを読み出し、これをメモリ番号１データとして通信端末２に送信する（ステップ２０３）。通信端末２では、このメモリ番号１データを受信すると、メインＣＰＵ３がこのメモリ番号１データに対してエラーチェックなどの処理を行ない（ステップ２０４）、これが正常に受信されている場合には、内蔵のメモリ（図示せず）に格納する。そして、メインＣＰＵ３は、メモリ番号２データを要求し（ステップ２０５）、この要求に応じて、携帯電話機１はメモリから第２番目の電話番号データを読み出し、これをメモリ番号２データとして通信端末２に送信する（ステップ２０６）。通信端末２では、このメモリ番号２データを受信すると、メインＣＰＵ３がこのメモリ番号２データに対してエラーチェックなどの処理を行ない（ステップ２０７）、これが正常に受信されている場合には、内蔵のメモリ（図示せず）に格納する。このようにして、順次メモリ番号３データ，……を受信して、エラーがなければ、メインＣＰＵ３はその内蔵のメモリに夫々の受信データを格納し、ステップ２０８〜２１０でメモリ番号（ｍ−１）を受信してメモリに格納し、ステップ２１１〜２１３でメモリ番号（ｍ）を受信してメモリに格納し終わると、通信端末への電話帳データの転送が終了することになる。これにより、通信端末２の携帯電話機１への電話番号データの要求は全て終わることになる。また、携帯電話機１でも、ステップ２０１で通知した件数分の電話番号データを送信終わったので、また、通信端末２からの要求はないので、携帯電話機１の動作も終了する。
【００３８】
ここで、携帯電話機１から受信した電話番号データにエラーがある場合には、このエラーがあった電話番号データを再度携帯電話機１に要求する。例えば、ステップ２０６で受信したメモリ番号２データのエラーチェックをしたところ（ステップ２０７）、エラーが検出されたときには、再度このメモリ番号２データを携帯電話機１に要求し（ステップ２０５）、これを受信すると（ステップ）、エラーチェックなどの処理を行なって再度確認する。
【００３９】
このようにして、電話番号データは夫々毎に１つのデータとして通信端末に読み取られるものであるから、そして、通信端末２では、受信した電話番号データ毎にエラーチェックを行なうものであるから、エラーが検出された場合には、これが検出された電話番号データのみを再度携帯電話機１に要求すればよく、既に通信端末２で受信された電話番号データは有効であるから、上記従来の通信端末に比べ、無駄な動作を大幅に低減できる。
【００４０】
また、１つの電話番号データを１つの転送データとして、電話番号データ毎に受信する通信が携帯電話機１と通信端末２との間で行なわれるから、携帯電話機１において、例えば、電話番号データを通信端末２に送信して通信端末２から次ぎの電話番号データの要求があるまでの間に相手側からの着信あるいは通話相手を呼び出す操作が開始されると、通話モードに切り替えることができる。この通話モードでは、携帯電話機１から通信端末２への電話番号データの読み出しは中断する。通話モードが終了したときには、携帯電話機１から通信端末２への電話番号データの読み出しが中断したところから再開するようにしてもよいが、また、最初のメモリ番号１データから再び読出しが行なわれるようにしてもよい。
【００４１】
以上、本発明の実施形態を説明したが、本発明はかかる実施形態にのみ限定されるものではない。例えば、上記実施形態では、通話を例に説明したが、データ通信の場合も同様である。
【００４２】
【発明の効果】
以上説明したように、本発明によれば、通信端末の電源がオフとなるとともに、このとき通話モードにある携帯電話機を終話させるものであるから、携帯電話機の無駄な通話状態の継続をなくすことができる。
【００４３】
また、本発明によると、通話もしくはデータ通信モードにある携帯電話機が接続されると、この携帯電話機を一旦終話させた後、再度元のモード状態に戻すものであるから、通話の相手先やデータの種類を判別することができ、携帯電話機との正常な通信が可能となる。
【００４４】
さらに、本発明によると、通話やデータ通信中にトラブルが発生したとき、携帯電話機を一旦終話させて再度元の通信状態に戻すものであるから、通話の相手先やデータの種類を判別することができ、携帯電話機との正常な通信が可能となる。
【００４５】
さらに、本発明によると、携帯電話機から電話帳データを読み込む場合、電話番号を１つずつ読み込む毎にエラーチェックし、エラーがある場合には、再度同じ電話番号を読み込むものであるから、一旦読み込んだ電話番号は有効なものとして保持されることになり、従来のように、全ての電話番号を一括読み込んでエラーチェックを行なう場合に比べ、無駄な動作を大幅に低減できるし、また、電話番号の読み込む中であっても、通話モードやデータ通信モードを割り込ませることができる。また、割り込まれたかかるモードが終了したときには、これまでに行なった電話番号の読み込みに続いて、電話番号の読み込みを継続させることができる。
【図面の簡単な説明】
【図１】本発明による携帯電話接続型通信端末及びこれを用いた通信システムの一実施形態を示すブロック図である。
【図２】図１に示す実施形態での車両側電源がオフとなったときの動作を示すタイミング図である。
【図３】図１に示す実施形態での通話モードにある携帯電話機が接続されたときの動作を示すタイミング図である。
【図４】図１に示す実施形態での内部にトラブルが生じた場合の動作を示すタイミング図である。
【図５】図１に示す実施形態での携帯電話機からの電話帳データの読み込み動作を示すタイミング図である。
【図６】従来の携帯電話接続型通信端末及びこれを用いた通信システムの一例を示すブロック図である。
【図７】図６に示す従来例での車両側電源がオフとなったときの動作を示すタイミング図である。
【図８】図６に示す従来例での通話モードにある携帯電話機が接続されたときの動作を示すタイミング図である。
【図９】図６に示す従来例での携帯電話機からの電話帳データの読み込み動作を示すタイミング図である。
【符号の説明】
１  携帯電話機
２  携帯電話接続型通信端末（通信端末）
３  メインＣＰＵ（中央処理ユニット）
４  入力部
５  表示部
６  電話制御基板
６ａ  電話制御ＣＰＵ
７  電源回路
８  電線
９  車両電源
１０  アクセサリ電源（ＡＣＣ）
１１  バックアップ電源（Ｂ／Ｕ）
【図１】
0003658566.tif 000002
【図２】
0003658566.tif 000003
【図３】
0003658566.tif 000004
【図４】
0003658566.tif 000005
【図５】
0003658566.tif 000006
【図６】
0003658566.tif 000007
【図７】
0003658566.tif 000008
【図８】
0003658566.tif 000009
【図９】
0003658566.tif 000010